(57)【要約】【課題】  ゴルフバッグ全体を覆うカバーを内蔵しているゴルフバッグを提供する。【解決手段】  本発明のゴルフバッグは、一方が開口し、他方が底部となっている筒状の用具収納部(12)と、上記用具収納部下部の外側面に開閉可能に設けられるカバー収納部(13)と、上記カバー収納部内に一部が取り付けられて収納されると共に上記カバー収納部(13)から外部に引き出されて上記用具収納部(12)を覆う、ファスナーによって開閉可能な袋状のカバー(20)と、を備える。【選択図】  図２
2006034483.tif 000002
【特許請求の範囲】
【請求項１】
一方が開口し、他方が底部となっている筒状の用具収納部と
前記用具収納部の外側面に開閉可能に設けられるカバー収納部と、
前記カバー収納部内に一部が取り付けられて収納されると共に前記カバー収納部から外部に引き出されて前記用具収納部を覆うカバーと、
を備えるゴルフバッグ。
【請求項２】
前記カバーには、カバーを開閉するファスナーが設けられている、ことを特徴とする請求項１記載のゴルフバッグ。
【請求項３】
前記ファスナーには相補的に機能する２つのスライダが設けられている、ことを特徴とする請求項２記載のゴルフバッグ。
【請求項４】
前記カバー収納部は前記用具収納部外側面の底部側に設けられている、ことを特徴とする請求項１乃至３のいずれかに記載のゴルフバッグ。
【請求項５】
前記用具収納部の底部にはゴルフバッグ移動用のキャスターが設けられており、前記カバーは該キャスターを覆わない、ことを特徴とする請求項１乃至４のいずれかに記載のゴルフバッグ。
【発明の詳細な説明】
【技術分野】
【０００１】
本発明はゴルフバッグに関し、特に、ゴルフバッグを覆うカバーをゴルフバッグに備えるようにしたゴルフバッグの改良に関する。
【背景技術】
【０００２】
ゴルフバッグはプレイヤの車両に搭載されて移動するほか、宅配便などによって貨物として運ばれ、保管される。このような場合に、バッグが濡れたり、汚れることを防ぐために、ゴルフバッグ全体を覆うゴルフバッグカバーが提供されている（特許文献１）。また、ゴルフバッグから露出するクラブを雨などから守るためにバッグ開口部近傍のポケットにクラブを覆うフードを収納するようにしたゴルフバッグが提供されている（特許文献２）。
【０００３】
しかしながら、ゴルフバッグとは別に大きいゴルフバッグカバーを携行したり、保管したりするのは不便である。また、重いゴルフバッグ全体を別の大きなゴルフカバーで覆うことは男性にとっても大変な作業であるが、特に非力な女性には一人での作業が困難となる場合も相当あると考えられる。更に、クラブのフード程度であればゴルフバッグのポケットに収納しておくこともそれ程困難ではないが、大きいゴルフバッグカバーをポケットに収納することは容易でない。
【特許文献１】特開平９−２８８４６
【特許文献２】特開平７−２８８４６
【発明の開示】
【発明が解決しようとする課題】
【０００４】
よって、本発明は、バッグ全体を容易にカバーで覆うことが出来るようにしたカバー付きのゴルフバッグを提供することを目的とする。
【課題を解決するための手段】
【０００５】
上記目的を達成するため本発明のゴルフバッグ（用具入れ）は、一方が開口し、他方が底部となっている筒状の用具収納部と、上記用具収納部の外側面に開閉可能に設けられるカバー収納部と、上記カバー収納部内に一部が取り付けられて収納されると共に上記カバー収納部から外部に引き出されて上記用具収納部を覆うカバーと、を備える。
【０００６】
かかる構成とすることによって、ゴルフバッグをカバーで覆う作業が容易となる。また、必要なときにゴルフバッグのカバー収納部からカバーを引き出してゴルフバッグを覆うことが出来るので具合がよい。
【０００７】
好ましくは、上記カバーには、カバーを開閉するファスナーが設けられている。それにより、ファスナーを開いて袋状のカバーを開放状態にしてゴルフバッグに被せ、その後ファスナーを閉じてカバーを袋状に戻すことによって作業が容易化される。
【０００８】
好ましくは、上記ファスナーには相補的に機能する２つのスライダが設けられている。それにより、ゴルフバッグ全体をカバーで覆った状態であっても、カバーの一部を開くことができ、小物類の出し入れやクラブの出し入れが可能となって具合がよい。
【０００９】
好ましくは、上記カバー収納部は上記用具収納部外側面の底部側寄りに設けられている。それにより、ゴルフバッグをカバーで覆う作業が容易になる。また、ゴルフバッグを覆うカバーの形状の選定や縫製が容易になる。
【００１０】
好ましくは、上記カバー収納部はファスナーで開閉するポケットである。それにより、ゴルフバッグを覆うカバーの出し入れが容易になる。
【００１１】
好ましくは、上記用具収納部の底部にはゴルフバッグ移動用のキャスターが設けられており、上記カバーは該キャスターを覆わない。それにより、カバーで略ゴルフバッグの全体を覆った場合であっても、カバーがゴルフバッグの移動の妨げにならない。
【００１２】
また、本発明のゴルフバッグは、クラブを収納する、一方が開口し、他方が底部となっている筒状の用具収納部と、上記用具収納部の外側面下部にファスナーによって開閉可能に設けられるポケットと、上記ポケット内に一部が取り付けられて収納されると共に該ポケットから外部に引き出されて上記用具収納部を覆う柔軟なカバーと、を備える。
【発明の効果】
【００１３】
上記発明の構成によれば、ゴルフバッグとゴルフバッグカバーが一体化されているので、ゴルフバッグを持ち上げることなく、ゴルフバッグを覆うことが可能となる。また、ゴルフバッグカバーをバッグの下部側から引き出して上方に延ばすことによってバッグ全体を覆うことができるので、作業が容易である。また、必要なときにカバーを引き出してゴルフバッグを覆うことが可能となって具合がよい。
【発明を実施するための最良の形態】
【００１４】
以下、本発明の実施の形態について図面を参照して説明する。
【００１５】
図１は、本発明の実施例のゴルフバッグを示している。同図に示すように、ゴルフバッグ１は、概略、台部１１の上に用具収納部１２を設け、用具収納部１２の外周に大小の収納部（ポケット）１３〜１６を設けた構成となっている。ゴルフバッグ１の図示された側と反対側も同様に構成されている。
【００１６】
台部１１は、プラスチック（樹脂）のフレーム（箱）によって構成されており、その底部が略楕円形状をしている。台部１１の底部には、バッグの正面側（図１中のバッグ左側）に移動用のキャスター１１１が、該底部の外周に沿って接地用の突起部（接地部）１１２が複数配置されている。台部１１は、用具収納部１２を載せる台となっており、用具収納部１２を支持している。台部１１の外周は、防水布や人工皮革等によって覆われている。
【００１７】
用具収納部１２は、クラブを収納する部分であり、概略、上下面が楕円状のプラスチックの筒状体（フレーム）によって構成される。筒状体の内外面は防水布やベルトで被覆されている。用具収納部１２の底部１２１は台部１１の上に載置される。なお、台部１１と用具収納部１２とを一体的に構成することが出来る。収納部１２の底部を台部１１の上部（上面）として構成することが出来る。用具収納部１２の上部は開口しており、略楕円形の開口部１２２の内側にはクラブ同士が擦れ合わないように内部を画定する格子状のガイドが設けられている。
【００１８】
用具収納部１２の外周には、大小の収納部（ポケット）１３〜１６が複数設けられている。各収納部はファスナーによって開閉可能に構成されている。また、用具収納部１２の外周には、ゴルフバッグの手持ちや移動を容易にするために、用具収納部１２の開口部１２２と用具収納部１２の中央部との間に手持ちベルト１８が設けられている。また、ショルダーベルト１７が設けられている。ショルダーベルト１７はその両端に設けられたフック金具（あるいはプラスチックフック）によって取付取り外し自在になされている。使用者がベルト１７又は１８を持ってバッグを前方に傾けると、台部１１の底部の突起部（接地部）１１２が地面から離れ、キャスター１１１のみが接地した状態となって移動が容易になる。
【００１９】
カバー収納部１３は、用具収納部１２の底部１２１側寄りの、用具収納部１２の側面位置（台部１１の上）に設けられている。カバー収納部１３の配置位置は、この底部側の位置に限定されるわけではないが、底部側に配置すると、１つのカバーでゴルフバッグ全体をより容易に覆いやすい。他のカバー収納部１３の配置位置として、例えば、用具収納部１２の開口部１２２の近傍が挙げられる。この場合には、カバーの設計（縫製）がより複雑になる。カバー収納部１３はファスナーによって開閉自在になされている。カバー収納部１３内には、ゴルフバッグの略全体を覆うゴルフバッグカバーが折り畳まれ、あるいは巻回されて収納されている。
【００２０】
図２は、カバー収納部１３内からゴルフバッグカバー２０を外部に引き出した状態を示している。同図において、図１と対応する部分には同一符号を付し、かかる部分の説明は省略する。
【００２１】
図２に示すように、ゴルフバッグカバー２０の一部は、カバー収納部１３内（用具収納部１２の側面の布地）に縫いつけられて取り付けられている。ゴルフバッグカバー２０の外周には、ファスナー２０１が形成されている。なお、ファスナー２０１は務歯とスライダ等とからなるが同図には務歯部分で示されている。ゴルフバッグカバー２０は、ファスナー２０１を閉じると外形がゴルフバッグ１の形状をした袋状となる。ゴルフバッグ１をゴルフバッグカバー２０で覆う場合には、好ましくは、ゴルフバッグ１の上部（開口部１２２）にトップカバー（フード）３０を取付け、クラブのヘッドを保護する。取付けは、例えば、開口部１２２やトップカバー３０に設けられた図示しないスナップやホックによって行われる。
【００２２】
図３及び図４は、ゴルフバッグ１をゴルフバッグカバー２０で覆った状態を示している。すなわち、ゴルフバッグ１にトップカバー３０を取付けた後、カバー収納部１３から引き出したカバー２０のファスナー２０１を開いてカバー２０を広げて、上方に持ち上げてゴルフバッグ１の全体に被せる。そして、ファスナー２０１を閉じてゴルフバッグ１の全体を覆う。このとき、実施例では、台部１１がカバー２０から露出するようになされている。それにより、移動の際の地面との擦れや濡れの防止を図っている。
【００２３】
上述したように、実施例では、カバー２０の一部（一端側）がゴルフバッグ１の下部（底部）側に取り付けられている（固定されている）ので、使用者はゴルフバッグ１を持ち上げることなく、ファスナー２０１を開放した袋状のカバー２０の他端側を単に開口部１２２側に引き上げてゴルフバッグ１に被せ、その後ファスナー２０１を上方から下方に閉じるようにすれば良く、カバー取付作業が容易になるように工夫されている。また、ゴルフバッグ１を覆うカバー２０のゴルフバッグ１への固定位置がカバー２０の袋状の開口縁の一部をバッグ側面の下端部側に固定する（取り付ける）ものとなるので袋状カバーの形状の選定や縫製が容易になる。
【００２４】
また、ゴルフバッグカバー２０のファスナー２０１には、一方向に移動したときに「閉」を「開」とするスライダＡと、「開」を「閉」とする相補的に機能するスライダＢとの２つのスライダが設けられているので、ゴルフバッグ１をゴルフカバー２０で覆った後も、カバー２０を外さずにスライダＢによってカバー２０の上部だけを開閉することが出来、クラブや小物類の出し入れなどに具合がよい。
【００２５】
なお、ゴルフバッグカバー２０には、ショルダーベルト１７、手持ちベルト１８の手持ち部分をカバー外に出す窓部２０２及び２０３が設けられている。それにより、ゴルフバッグ１全体をゴルフバッグカバー２０で覆った後も、バッグを掴む部分が提供されるので持ち運びが容易である。
【００２６】
また、実施例では、スライダを使用するファスナー（ジッパー）の例で説明しているが、ファスナーは面ファスナーであってもよい。
【００２７】
また、本発明はゴルフバッグの改良に関する発明であるが、同種のバッグ類や用具入れ類に本発明を適用可能であることは明らかであり、「ゴルフバッグ」の名称の物に限定されるものではない。例えば、「キャディバッグ」は「ゴルフバッグ」に含まれる。
【図面の簡単な説明】
【００２８】
【図１】図１は、実施例のゴルフバッグを説明する説明図である。
【図２】図２は、実施例のゴルフバッグからカバーを引き出した状態を説明する説明図である。
【図３】図３は、実施例のゴルフバッグをカバーで覆った状態を説明する説明図である。
【図４】図４は、実施例のゴルフバッグをカバーで覆った状態を説明する斜視図である。
【符号の説明】
【００２９】
１  ゴルフバッグ、１１  台部、１２  用具収納部、１３  カバー収納部、１４  小物入れ、１５  小物入れ、１６  物入れ、１７  ショルダーベルト、１８  手持ちベルト、２０  ゴルフバッグカバー、２０１  ファスナー、２０２，２０３  窓、Ａ，Ｂ，１３１  ファスナーのスライダ
【図１】
2006034483.tif 000003
【図２】
2006034483.tif 000004
【図３】
2006034483.tif 000005
【図４】
2006034483.tif 000006